(57)【要約】【課題】移動先機器の電源投入後に、それより先に動作していた元機器の設置場所に戻らなくても、移動先機器で元機器の予約情報を引き継ぎできるようにする。【解決手段】後から動作する１以上の機器（これから電源オンされるＴＶなど）から、先に動作していた機器（既に電源オンされ動作中のＴＶなど）に、予約情報を引き継ぎに行く（予約情報を連動させる）ように構成する。【選択図】図７
2015126364.tif 000002
【特許請求の範囲】
【請求項１】
予約機能付きの元機器にネットワーク接続され、前記元機器から予約情報を引き継ぐ予約機能付きの映像機器において、
前記元機器側が前記予約情報を送る処理を行わなくても前記元機器から前記予約情報を引き継ぐように構成した、映像機器。
【請求項２】
先に動作している予約機能付きの元機器にネットワーク接続され、前記元機器よりも後から動作開始する予約機能付きの映像機器において、
動作開始前は前記元機器から予約情報を引き継ぐことができないが、動作開始後は前記元機器側が予約情報を送る処理を行わなくても前記元機器の予約情報を引き継ぐように構成した、映像機器。
【請求項３】
複数の映像機器間を移動できるユーザが予約情報をこれらの映像機器のいずれか１つ以上に設定していることを想定した場合において、
移動先の前記映像機器は前記ユーザの存在を監視するユーザ監視部を備え、
前記ユーザ監視部が前記ユーザの存在を検知した際は、前記予約情報をその予約情報が設定された前記映像機器から引き継ぐように構成した、請求項１または請求項２に記載の映像機器。
【請求項４】
複数の映像機器間を移動できる1以上のユーザがそれぞれ個別の予約情報をこれらの映像機器のいずれか１つ以上に設定していることを想定した場合において、
移動先の前記映像機器は前記ユーザの顔を捕らえるカメラとこのカメラが捕らえた顔画像情報から前記ユーザを特定する顔認識部を備え、
前記移動先の映像機器の動作開始後に、この移動先映像機器が、前記顔認識部が特定したユーザの予約情報を、前記移動先映像機器以外の前記映像機器へ取りに行くように構成した、請求項１または請求項２に記載の映像機器。
【請求項５】
前記予約情報は第１の予約情報と第２の予約情報を含み、前記第１の予約情報は前記顔認識部が特定する第１のユーザにより設定され、前記第２の予約情報は前記顔認識部が特定する第２のユーザにより設定されるものとしたときに、
前記第１の予約情報に従い受信された番組の画像と、前記第２の予約情報に従い受信された番組の画像が、マルチ画面上で別々に表示されるように構成した、請求項４に記載の映像機器。
【請求項６】
予約機能付きの元機器にネットワーク接続され、前記元機器から予約情報を引き継ぐ予約機能付きの映像機器で使用される方法において、
前記元機器側が前記予約情報を送る処理を行わなくても前記元機器から前記予約情報を引き継ぐように構成した、予約連動方法。
【請求項７】
先に動作している視聴予約機能付きの元機器にネットワーク接続され、前記元機器よりも後から動作開始する視聴予約機能付きの映像機器で使用される方法において、
動作開始前は前記元機器から予約情報を引き継がず、動作開始後は前記元機器側が予約情報を送る処理を行わなくても前記元機器から予約情報を引き継ぐように構成した、予約連動方法。
【発明の詳細な説明】
【技術分野】
【０００１】
この発明の実施形態は、例えば視聴予約機能を持った複数のテレビジョン受信機（以下ＴＶと略記）がネットワーク接続される場合において、各ＴＶ間において視聴予約を連動させる技術に関する。
【背景技術】
【０００２】
近年、デジタルＴＶ受信機の低価格化に伴い、家庭内に複数のデジタルＴＶがあることは一般的となっている。これらのデジタルＴＶは、通常、電子番組表（以下ＥＰＧと略記）を用いた視聴予約機能を備えている。ＥＰＧを用いた予約では、複数の放送チャネルの複数番組を、放送時間帯が重複しないように任意に選んで視聴予約できる。さらに、視聴予約対象の特定ＴＶが設置された場所に視聴者がいるかどうか、またいるなら視聴者が誰なのかを識別することも可能になってきている。
【０００３】
複数ＴＶ間の予約設定に関する技術としては、先に使っていたデジタルＴＶから他のデジタルＴＶに対して予約情報を送信するものがある（特許文献１）。視聴者が特定ＴＶの設置場所にいるかどうかを検出する技術としては、家庭内における人の位置情報を利用して視聴者が何処にいるかを判定するものがある（特許文献２）。ＴＶの前にいる視聴者が誰なのかを識別する技術としては、カメラでユーザの顔認識を行うものがある（特許文献３）。
【先行技術文献】
【特許文献】
【０００４】
【特許文献１】特開２０１０−２２０２４７号公報
【特許文献２】特開２００４−１７３１８５号公報
【特許文献３】特開２０１０−１３４７８５号公報
【発明の概要】
【発明が解決しようとする課題】
【０００５】
予約設定に関する先行技術では、視聴者の移動先にあるＴＶが既に動作していることが想定されている。しかし、実際には（節電などのために）不使用家電機器の電源は切られていることが多く、移動先のＴＶが動作していないことは度々ある。移動先のＴＶ（例えば台所のＴＶ）が動作していない場合は、視聴者は、現在視聴中のＴＶ（例えば居間のＴＶ）から移動先の台所ＴＶへ予約情報（居間ＴＶにおいてＥＰＧで視聴予約した１以上の番組の予約情報）を送ることができない。そのような場合は、移動先の台所に一旦行って台所ＴＶの電源を入れてから、再度元の居間ＴＶのところまで戻って予約情報の転送を改めて行う必要がある。そうしないと、居間ＴＶの予約情報を台所ＴＶに引き継がせることができない。別の言い方をすると、台所ＴＶ（移動先の機器）の予約情報を居間ＴＶ（元の機器）の予約情報と連動させることができない。
【０００６】
視聴予約可能な複数の映像機器（別々の場所に設置された複数のデジタルＴＶなど）の間で予約情報を連動させることができないと、不便なことがある。例えば、主婦が家事等で色々な事をしながら複数のＴＶ（居間のＴＶ、台所のＴＶ、寝室のＴＶ、ベランダのＴＶなど）の前を行き来することは、ままあり得ることである。しかしその場合、それぞれのＴＶ毎に主婦が意図する視聴予約が設定されていないと、それらのＴＶは主婦が意図した局／番組（例えば特定時間帯に特定放送局から放送される連続ドラマ）へ自動的に切り替わらない。
【０００７】
個々のＴＶ毎に視聴予約設定することは面倒な作業になるので、１台のＴＶで設定済みの視聴予約を他のネットワーク接続されたＴＶに引き継がせたい（視聴予約をネットワーク接続された複数のＴＶ間で連動させたい）。そのためには、移動先の全てのＴＶの電源を入れてから、視聴予約情報が設定された元ＴＶのところに戻って視聴予約情報を移動先の全ＴＶへ転送する必要がある。このＴＶ間の行き来自体もまた、視聴者（複数ＴＶのユーザ）にとって不便なこととなる。
【０００８】
この発明の課題の１つは、移動先機器の動作開始後（電源投入後またはスタンバイモードから通常動作モードに移行後）に、それより先に動作していた元機器の設置場所に戻らなくても、移動先機器側で元機器の予約情報を引き継ぎできるようにすること（換言すれば移動先機器と元機器の間で予約情報を連動させること）である。
【課題を解決するための手段】
【０００９】
一実施形態では、後から動作する１以上の機器（例えばこれから電源オンされる台所ＴＶなど）から、先に動作していた機器（例えば既に電源オンされ動作中の居間ＴＶなど）に、予約情報を引き継ぎに行く（予約情報を連動させる）ようにしている。
【００１０】
すなわち、予約情報の供給元となるマスタ機器（例えば居間ＴＶ）が予約情報の引継ぎ先となるスレーブ機器（例えば台所ＴＶ）に予約情報引継ぎを強制するのではなくて、１以上存在し得るスレーブ機器の任意のもの（例えば台所ＴＶ）が、１以上存在し得るマスタ機器のどれ（例えば居間ＴＶ）に従うかを選択可能（あるいは変更可能）にしている。
【００１１】
換言すると、予約機能付きの元機器（例えばマスタ機器としての居間ＴＶ）にネットワーク接続され、前記元機器（居間ＴＶ）から予約情報を引き継ぐ予約機能付きの映像機器（例えばスレーブ機器としての台所ＴＶ）は、前記元機器（居間ＴＶ）側が前記予約情報を送る処理を行わなくても前記元機器（居間ＴＶ）から前記予約情報を引き継ぐ（図１の１１０が実行する、図７のＳＴ１０〜ＳＴ２６）ように構成される。
【図面の簡単な説明】
【００１２】
【図１】一実施形態に係るデジタルＴＶ（視聴予約機能を持った映像機器）の構成を説明する図である。
【図２】図１の構成を持つＴＶが複数台ネットワーク接続される場合を例示する図である。
【図３】図１の予約情報メモリに格納される予約情報の一例を示す図である。
【図４】図１の予約情報メモリに格納される予約情報の他例を示す図である。
【図５】図２の家庭内ＬＡＮ上で参照可能なＴＶリストの表示例を示す図である。
【図６】図１の顔認証部に事前登録されたユーザの顔データ（個々のユーザを識別する情報）を例示する図である。
【図７】特定ＴＶの予約情報をユーザが移動する先のＴＶに引き継がせる処理の一例を説明するフローチャートである。
【発明を実施するための形態】
【００１３】
以下、実施の形態について図面を参照して説明する。図１は、一実施形態に係るデジタルＴＶ（視聴予約機能を持った映像機器）１００の構成を説明する図である。このＴＶ１００は、マルチＴＶチューナ１０２、動画／ＯＳＤ画像処理および音声情報の処理部１０４、動画／ＯＳＤ画像の表示部および音声出力部１０６を備えている。ＴＶ１００はさらに、カメラ／人センサ／顔認証部１０８、全体制御部１１０、ＬＡＮ制御部１１２、予約情報メモリ１１４、視聴予約制御部１１６、リモコン操作部１１８などを備えている。操作部１１８としては、リモコン以外に、タッチパネルを用いることができ、あるいは外部接続されたキーボード／マウスを用いることもできる。
【００１４】
ここで、全体制御部１１０は、ＭＰＵ（Micro Processing Unit）、ＲＯＭ、ＲＡＭ、タイマなどを備えている。ＲＯＭには種々な制御プログラム（ファームウエア）および制御データが書き込まれている（この制御プログラムには、図７の処理を行うプログラムも含まれる）。ＭＰＵは、ＲＡＭをワークメモリとし、処理内容に応じた制御データ（パラメータ）を適宜用いて、所定の制御プログラムを実行する。また、ＭＰＵは、時間を参照する処理を行う際は、タイマを参照する。このタイマは、チューナ１０２が受信する放送波に含まれる時間情報で、較正することができる。
【００１５】
マルチＴＶチューナ１０２は、例えば２台の地上デジタルＴＶチューナ、２台のＢＳ／ＣＳチューナ、１台のケーブル放送受信部など、複数のチューナを備えることができる。
【００１６】
処理部１０４は、チューナ１０２が受信した１以上の放送番組の動画情報を、１以上の画面表示エリア上に展開する（例えば、２つの番組動画それぞれを図示しないビデオＲＡＭの２つの描画エリア上に書き込む）。展開された動画情報は、表示部１０６に供給される。同時に、処理部１０４から、展開された動画情報に対応する音声情報が、音声出力部１０６に供給される。展開された動画情報が２以上の別番組に対応する場合、音声出力部１０６は、それらの番組のうちユーザが指定する番組に対応する音声を、図示しないスピーカにより出力する。
【００１７】
それとは別に、処理部１０４は、ユーザに種々な操作入力を案内するＯＳＤ（On-Screen Display）画面を生成する。ＥＰＧ（Electronic Program Guide）の表示画面もＯＳＤにより生成され、視聴予約のユーザ入力はＥＰＧ上の所望番組を選択し決定することで行うことができる。この番組選択／決定操作は、視聴予約制御部１１６（全体制御部１１０内のファームウエアの一部）の管理下で、リモコン１１８の図示しないカーソルキーと決定キーの操作で行うことができる。生成されたＯＳＤ画面は、１または複数の動画表示画面上に重畳されて表示部１０６に供給される。
【００１８】
ユーザがＥＰＧから選択し決定した１以上の番組の視聴予約情報は、視聴予約制御部１１６の管理下で、予約情報メモリ１１４に格納される。メモリ１１４内にはユーザ毎にフォルダ（図示せず）が設けられている。ユーザ毎に設定されるフォルダとしては、「おとうさんフォルダ」、「おかあさんフォルダ」、「ぼくフォルダ」などがある。これらのフォルダ内に、該当ユーザが設定した視聴予約情報が格納される。
【００１９】
カメラ／人センサ／顔認証部１０８は、表示部１０６の画面フレームの一部に埋め込まれた小型ＣＣＤカメラ（図示せず）を備えている。このカメラが捕らえた被写体（例えば正面から見た人の頭部分）の輪郭とその輪郭内の目、鼻、口の位置／形状を画像のコントラスト処理により検出して、被写体が人であるか否かを判定する。こうして、カメラの前に人（ユーザの誰かである可能性が高い）がいるかどうかを検知できる（人センサ機能）。カメラ／人センサ／顔認証部１０８は、ユーザの存在を監視するユーザ監視部としての機能を備えている。
【００２０】
また、このカメラが捕らえた被写体の顔の特徴パターン（目、鼻、口の位置／形状）から、カメラの前の人物が予め登録されたユーザの誰に該当するのかを判定できる（顔認識機能あるいはユーザ識別機能）。１以上のユーザ毎の顔の特徴パターンは、予め顔認証部１０８内の顔データメモリに格納できるようになっている。
【００２１】
顔認証部１０８内の顔データメモリおよび／または予約情報メモリ１１４の記録内容は、ＬＡＮ制御部１１２経由でネットワーク接続された外部機器（他のデジタルＴＶ等）から参照できるようになっている。
【００２２】
図２は、図１の構成を持つＴＶ１００が複数台ネットワーク接続される場合を例示する図である。この例では、ある家庭の１階に設置された居間ＴＶ１００Ａに、台所ＴＶ１００Ｂと書斎ＴＶ１００Ｃが、家庭内ＬＡＮ（有線または無線）経由でネットワーク接続されている。居間ＴＶ１００Ａには、２階の寝室ＴＶ１００Ｄもネットワーク接続される。寝室ＴＶ１００Ｄには、子供部屋ＴＶ１００ＥとベランダＴＶ１００Ｆがネットワーク接続されている。居間ＴＶ１００Ａはさらに、ルータ１１４を介してインターネットに接続されている。このルータ１１４には、ＴＶ機能付きのタプレットまたはＰＣ（Personal Computer）を接続でき、あるいは、家庭外の携帯電話（ワンセグＴＶ機能付き）１１８を適宜接続できるようになっている。
【００２３】
図２のＴＶ１００Ａ〜１００Ｆは図１と同様な構成を持つことができる。タブレット／ＰＣ１１６またはワンセグＴＶ１１８については、図１と異なる構成でよい。この実施形態では、タブレット／ＰＣ１１６またはワンセグＴＶ１１８において設定した視聴予約情報をＬＡＮ経由で居間ＴＶ１００Ａに送ることができる。例えばワンセグＴＶ１１８から居間ＴＶ１００Ａへ送られた予約情報は、以後、図２のＴＶ１００Ａ〜１００Ｆ間で相互参照することができるようになる。
【００２４】
図３は、図１の予約情報メモリ１１４に格納される予約情報の一例を示す図である。ここでは地上デジタル放送のｃｈ１〜ｃｈ９から視聴予約される場合を例示しているが、ＢＳ／ＣＳデジタル放送からの視聴予約も同様である（ＢＳの場合はチャネル番号が１０１ｃｈ〜２２２ｃｈなど、地上デジタル放送とは異なる番号となる）。この予約情報が「おかあさん」により居間ＴＶ１００Ａで設定されたものであるならば、図３の予約情報は居間ＴＶ１００Ａの予約情報メモリ１１４内の「おかあさんフォルダ（図示せず）」に格納される。
【００２５】
この例示では、予約情報は、予約された番組が、何時（放送開始時刻）何処から（放送局のチャネル番号）どれくらい（番組時間）放送されるのかについての情報を含む。予約情報は別の内容でもよい。例えば、番組時間の代わりに（またはそれに付け加えて）番組終了時間の情報を用いてもよい。また、地上デジタル放送受信用のチューナが２以上あるときは、放送チャネル番号を指定するだけでなく、どのチューナを用いるのかを指定（使用チューナの機器番号を指定）してもよい。また、予約された番組のタイトル名（連続ドラマなら何話目かも併記）、予約したユーザ名（例えば「おかあさん」）などの情報が追加されてもよい。
【００２６】
図４は、図１の予約情報メモリ１１４に格納される予約情報の他例を示す図である。この予約情報が「おとうさん」により居間ＴＶ１００Ａで設定されたものであるならば、図４の予約情報は居間ＴＶ１００Ａの予約情報メモリ１１４内の「おとうさんフォルダ（図示せず）」に格納される。図４の予約情報の記載フォーマットは、図３の予約情報と共通している。
【００２７】
異なるユーザ（例えば「おとうさん」と「おかあさん」）は見たい番組が同じこともあれば異なることもある。そのため、図３の「おかあさん」予約情報の一部（20：00から１ｃｈで放送される２時間番組）が図４の「おとうさん」予約情報の一部（20：00から１ｃｈで放送される２時間番組）と同じことはあり得る。「おかあさん」予約情報の他部（7：00から１ｃｈで放送される３０分番組）が「おとうさん」予約情報に含まれないことはままある。また、放送時間帯が重なる別番組を各ユーザが個別に予約することもある（例えば「おかあさん」予約の22：00から３ｃｈで放送される３０分番組は、「おとうさん」予約の22：00から５ｃｈで放送される１時間番組と、重複する）。
【００２８】
このように、同じ内容と異なる内容が混在し得る予約情報を同じフォルダ内に格納するときは、予約番組のファイル名にユーザを示す文字または記号を付けておくことで、個々の予約番組が誰の予約であるのかを区別できる。各ユーザ専用のフォルダを設け、その専用フォルダにそのユーザだけの予約情報を格納するようにすれば、予約番組のファイル名にユーザを示す文字または記号を付ける必要はなくなる。そうすると、予約番組を表現することに使用できるビット数が決まっているときは、ユーザを示す文字または記号が不要になった分だけ予約番組の内容表示に使える文字数が増える。
【００２９】
図５は、図２の家庭内ＬＡＮ上で参照可能なＴＶリストの表示例を示す図である。この例では、台所ＴＶ１００Ｂから参照できるＬＡＮ上のＴＶ１００Ａ、１００Ｃ〜１００ＦがそのＬＡＮ上のＩＰアドレス（Internet Protocol address）とともにリストアップされている。自分で自分を参照する必要はないのでＴＶ１００Ｂの行はゴースト表示としている。ＬＡＮ上のＴＶ１００Ａ、１００Ｃ〜１００Ｆについては、ＴＶ１００Ｂから参照可能なので、「参照可否」欄には全て、参照可能を意味する「○」が付されている。
【００３０】
図６は、図１の顔認証部に事前登録されたユーザの顔データ（個々のユーザを識別する情報）を例示する図である。この例では、居間ＴＶ１００Ａの顔認証部１０８の顔データメモリに、「おとうさん」と「おかあさん」と「ぼく(子供）」それぞれの顔パターンの特徴データ（顔の輪郭、耳、目、鼻、口の位置／形状などの特徴データ）が、ＴＶ１００ＡのＩＰアドレスとともに登録されている。同様に、台所ＴＶ１００ＢとベランダＴＶ１００Ｆには「おかあさん」の顔パターンの特徴データが登録される。書斎ＴＶ１００Ｃには「おとうさん」の顔パターンの特徴データが登録され、子供部屋ＴＶ１００Ｅには「ぼく」の顔パターンの特徴データが登録される。寝室ＴＶ１００Ｄには「おとうさん」と「おかあさん」の顔パターンの特徴データが登録される。
【００３１】
図７は、特定ＴＶの予約情報をユーザが移動する先のＴＶに引き継がせる処理の一例を説明するフローチャートである。いま、ユーザの１人である「おかあさん」が居間から台所へ移動したとする。居間ＴＶ１００Ａおよび台所ＴＶ１００Ｂは、いずれも図１のような構成を持っている。ここでは、「おかあさん」が移動した直後の時点では台所ＴＶ１００Ｂの電源は切られており、台所ＴＶ１００Ｂの予約情報メモリ１１４には未だ、居間ＴＶ１００Ａの予約情報メモリ１１４内に格納された「おかあさん」の予約情報がないものとする。
【００３２】
台所ＴＶ１００Ｂに図６の「おかあさん」の顔パターンデータが登録されており、台所ＴＶ１００Ｂのカメラ／人センサ／顔認証部１０８だけがスタンバイモードで動作中であるとすれば、「おかあさん」の顔を認識した台所ＴＶ１００Ｂは、自動的にスタンバイモードを解除して電源オンし、通常動作に入る（図７のＳＴ１０）。台所ＴＶ１００Ｂの主電源が完全に切られておりカメラ／人センサ／顔認証部１０８が動作していないときは、「おかあさん」は台所ＴＶ１００Ｂの主電源をオンにする（ＳＴ１０）。この電源オンは、台所ＴＶ１００Ｂの近くに置いてあったリモコン１１８の電源ボタン（図示せず）を押すことで、行うことができる。
【００３３】
電源オン後ＴＶ１００Ｂが通常動作に入ったら、「おかあさん」は、リモコン１１８の特定キー操作によって、他のＴＶの予約情報に従う設定処理を開始する。すると、台所ＴＶ１００Ｂの表示画面上に、図５に示すようなＴＶリストがＯＳＤ表示される（ＳＴ１２）。「おかあさん」は、リモコン１１８を操作し、参照先のＴＶとして居間ＴＶ１００Ａを選択する（ＳＴ１４）。この選択操作がなされるまでは、特定ＴＶ（例えば家族全員が使用する居間ＴＶ１００Ａ）がデフォルトで選択されるように、図１の制御部１１０または１１６を設定しておくことができる（ＳＴ１４）。一定時間以上（例えば１分以上）参照すべきＴＶが選択されない場合は、特定ＴＶ（ここでは家族全員が使用する居間ＴＶ１００Ａ）が参照先のＴＶとして確定する。
【００３４】
参照先のＴＶとして居間ＴＶ１００Ａの選択が確定すると、台所ＴＶ１００Ｂの全体制御部１１０のＭＰＵ（または視聴予約制御部１１６内の図示しないＭＰＵ）は、ＬＡＮ経由で、選択されたＴＶ１００Ａの予約情報メモリ１１４にアクセスする。ＴＶ１００Ａのメモリ１１４内の図示しない「おかあさんフォルダ」には、図３に示すような予約情報が格納されている。台所ＴＶ１００ＢのＭＰＵは、居間ＴＶ１００Ａの予約情報（図３）を参照し（ＳＴ１６）、台所ＴＶ１００Ｂの予約情報メモリ１１４内の図示しない「おかあさんフォルダ」に、参照した予約情報をコピーする。この参照の際、台所ＴＶ１００ＢのＭＰＵは、全体制御部１１０内のタイマを用いて、予約情報（図３）を参照した最終の時間（日時、分、秒）を記録する（ＳＴ１８）。
【００３５】
台所ＴＶ１００ＢのＭＰＵは、前回の参照日時において自分のメモリ１１４に格納されていた予約情報と、今回参照する居間ＴＶ１００Ａの予約情報との間に相違があるかどうか比較する。相違がなく（ＳＴ２０ＮＯ）、予約連動が解除されていないなら（ＳＴ２６ＮＯ）、ＳＴ１６の処理に戻る。（初めての比較では、前回の参照日時情報がないので、その場合は相違なしとする。相違がないなら、予約情報を再度台所ＴＶ１００Ｂのメモリ１１４にコピーする必要はない。）予約情報の間に相違があっても（ＳＴ２０ＹＥＳ）、その違いが直近の予約内容の相違でなければ（ＳＴ２２ＮＯ）、予約連動を継続する間は（ＳＴ２６ＮＯ）、ＳＴ１６の処理に戻る。（例えば現在7：50であるとき、8：00から開始する予約の内容に変化がないなら、19：00から開始する予約の内容に変化があっても、それは直近の予約内容の変化として扱わなくてよい。）ＳＴ２６〜ＳＴ１６の処理ループは、一定時間（例えば５分毎）に自動反復させることができる。
【００３６】
なお、ＳＴ２２において、直近の操作（次に選局する放送チャネル番号やその放送開始時刻を変更する操作、あるいは、番組視聴中であれば現在視聴中の番組の終了時刻の変更なども含む）と現在設定されている予約内容を比較し、異なる場合はＳＴ２６に、同じ場合はＳＴ２４に進むようにしてもよい。その場合は、ＳＴ２４において、直近の操作を再設定する。ＳＴ２６において、予約連動動作が解除されたか否かを確認し、解除されていなければＳＴ１６に戻り、解除されていれば一連の動作を終了する。
【００３７】
これにより、ユーザは、同じ予約内容を再設定することなく、意図した番組をＬＡＮ上のＴＶ（１００Ａ〜１００Ｆ）のいずれでも視聴できるようになる。
【００３８】
＜変形例１＞
前述した実施形態において、各ＴＶはカメラを搭載し、視聴者の有無を検知でき、人が近づいた時のみ映像／音声を再生できる。
【００３９】
ここで、あるユーザ（例えばおかあさん）は、図７の操作で、どのＴＶにおいても、ＴＶ１００Ａに記憶されている予約情報に連動して受信させることができる。これらのＴＶは、ユーザがカメラの視界に入っている間は再生を続け、視界から外れると再生を止めるように構成できる。そうすると、ユーザＴＶが個別に設置された２以上の部屋を行き来する際、どちらの部屋に行っても意図した番組を見続けることができ、且つ居ない方の部屋にある受信機の映像と音声の再生は自動的に止めることができる。
【００４０】
＜変形例２＞
各ＴＶはカメラを搭載し、カメラの視界にいる人物を識別できる。あるユーザ（例えばおかあさん）が、ＴＶ１００Ａにおいて、図３に示すような視聴予約をしたとする。図３の予約内容はＴＶ１００Ａがユーザ（おかあさん）の予約内容として記憶している。別のユーザ（例えばおとうさん）は、ＴＶ１００Ｃにおいて、図４に示すような視聴予約をしたとする。図４の予約内容はＴＶ１００Ｃがユーザ（おとうさん）の予約内容として記憶している。
【００４１】
ユーザ（おかあさん）は、ＴＶ１００ＢやＴＶ１００Ａのある部屋に移動した際に、自分が来たらＴＶ１００Ａに登録されている自分の予約情報に従って受信するように設定する。ユーザ（おとうさん）は、ＴＶ１００ＡやＴＶ１００Ｃのある部屋に移動した際に、自分が来たらＴＶ１００Ｃに登録されている自分の予約情報に従って受信するように設定する。
【００４２】
ＴＶ１００Ａは、カメラの視界にユーザ（おかあさん）が来た際は、ＴＶ１００Ａに登録されているユーザ（おかあさん）の予約情報に従って受信する。カメラの視界にユーザ（おとうさん）が来た際は、ＴＶ１００Ｃに登録されているユーザ（おとうさん）の予約情報に従って受信する。
【００４３】
ここで、２人のユーザ（おとうさんとおかあさん）がカメラの視界に入り且つ２人の予約情報が別々に存在する際は、後からカメラの視界に入った方のユーザの予約情報を優先するなど、特定の優先条件に従って動作させる。又はＴＶの表示画面を分割して、両者の映像をそれらの分割画面各々で再生してもよい。音声については、左右のスピーカから異なる音声を出してもよいが、スピーカからはユーザの一方の予約番組の音声を出し、他方のユーザの予約番組はイヤホン（図示せず）から出すようにしてもよい。これにより、２人のユーザ（おとうさんとおかあさん）は、家庭内を移動しながら、それぞれのＴＶの前で、意図した予約に基づく番組を視聴することができる。
【００４４】
本実施形態により、ユーザは、単一の予約操作により、複数のＴＶで、他のユーザの予約と矛盾なく、意図した番組を視聴することができる。
【００４５】
意図したユーザがＴＶの前にいる時にのみ、そのユーザが意図した番組だけの映像／音声を出力させるようにすることで、節電効果も得られる。
【００４６】
＜実施形態のポイント＞
１．移動先の映像機器（ＴＶ）の電源投入後にどの機器の予約情報に従うかを指定できるようにし、先に動作していた機器の場所に戻ることなく予約情報を引き継がせることを可能にする。また、複数の予約情報や複数のユーザがいる場合も、矛盾無く、ユーザが意図した予約を各機器に引き継がせることを可能にする。
【００４７】
２．家庭内ＬＡＮを経由して、他のＴＶに保存されている視聴予約情報を参照できるようにし、ユーザが指定したＴＶの予約に従って放送受信することで、単一の予約操作で、複数のＴＶを連動させる。ここで、各ＴＶに記憶されている視聴予約情報を、複数のＴＶが参照できるようにしている。
【００４８】
３．カメラを搭載することにより、カメラの視界内に視聴者が存在する時（カメラが捕らえた映像フレーム内に人の顔があることを検知したとき）のみ、視聴予約の連動表示を行う。
【００４９】
４．カメラを搭載することにより、カメラの視界内にいる視聴者（ユーザ）を区別する（カメラが捕らえた映像フレーム内に人の顔があるときその顔が登録済みの顔と一致するかどうかで個々のユーザを区別する）。これにより、複数の視聴者（ユーザ）毎に視聴予約をすることができるようにし、カメラの視界内に予約した視聴者（ユーザ）が存在する時にのみ、その予約者が予約した放送局の特定番組を連動表示させる。
【００５０】
５．カメラの視界内内に複数の予約者が存在する場合に（カメラが捕らえた映像フレーム内に複数の人の顔があるときそれらの顔が登録済みの顔と一致するかどうかで個々のユーザを区別して）、ＴＶの表示画面を分割し、分割された複数画面を用いて、複数の放送局の複数番組を、個別に連動表示させる。
【００５１】
開示された実施形態によれば、ネットワーク接続された複数機器（ＴＶなど）の電源投入順序に配慮する必要がなくなり、予約情報を複数機器間で適宜引き継がせる上での操作上の煩わしさを回避でき、それでいて複数機器からの予約情報を矛盾なく所望機器へ引き継がせることができる。
【００５２】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【図１】
2015126364.tif 000003
【図２】
2015126364.tif 000004
【図３】
2015126364.tif 000005
【図４】
2015126364.tif 000006
【図５】
2015126364.tif 000007
【図６】
2015126364.tif 000008
【図７】
2015126364.tif 000009